【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
ＥＬディスプレイのトランジスタ、及びＥＬデバイスの特性の変化を補償する方法であって、
（ａ）行、及び列に配列されるＥＬデバイスの２次元アレイを有し、駆動信号に応答する駆動回路によって、それぞれが駆動されるＥＬディスプレイを提供するステップと、
（ｂ）ＥＬデバイスのための、３つのトランジスタを有する第１の駆動回路を提供し、かつＥＬデバイスのための、２つのトランジスタのみを有する第２の駆動回路を提供するステップであって、前記ディスプレイの第１の列は、少なくとも１つの第１の駆動回路を有し、隣接する第２の列は、少なくとも１つの第２の駆動回路を有するステップと、
（ｃ）前記ＥＬデバイス、又は第１の駆動回路の前記トランジスタ、若しくはその双方の少なくとも１つの特性に基づいて、補正信号を導き出すステップと、
（ｄ）前記補正信号を使用して、前記第１の駆動回路、及び１つ、又は２つ以上の隣接する第２の駆動回路に印加される前記駆動信号を調整するステップと、
を有することを特徴とする方法。
【請求項２】
前記隣接する第２の列は、第２の駆動回路のみを有する請求項１に記載の方法。
【請求項３】
前記ＥＬデバイスは、ＯＬＥＤデバイスであって、前記ＥＬディスプレイは、ＯＬＥＤディスプレイである請求項１に記載の方法。
【請求項４】
前記トランジスタは、アモルファスシリコン薄膜トランジスタである請求項１に記載の方法。
【請求項５】
第１の駆動回路が駆動するＥＬデバイスの開口率は、第２の駆動回路が駆動するＥＬデバイスの開口率と等しい請求項１に記載の方法。
【請求項６】
（ｅ）基準空間周波数を選択するステップと、
（ｆ）前記基準空間周波数よりも高い空間周波数によって、前記ディスプレイに第１の列を配列するステップと、
をさらに有する請求項１に記載の方法。
【請求項７】
（ｅ）前記２次元アレイ上の前記補正信号の、１つ、又は２つ以上の明確な遷移の配置を決定するステップと、
（ｆ）第１の駆動回路の前記補正信号を使用して、前記第１の駆動回路と、前記明確な遷移と同一の側の１つ、又は２つ以上の隣接する第２の駆動回路とに印加される前記駆動信号を、明確な遷移のそれぞれについて調整するステップと、
をさらに有する請求項１に記載の方法。
【請求項８】
（ｇ）前記ＥＬディスプレイに画像を表示するステップと、
（ｈ）前記表示画像データに１つ、又は２つ以上の明確な画像遷移を配置するステップと、
（ｉ）第１の駆動回路からの補正信号を選択的に適用するために、前記明確な遷移の配置、及び前記明確な画像遷移の配置を採用して、前記第１の駆動回路、及び１つ、又は２つ以上の隣接する第２の駆動回路に印加される前記駆動信号を調整するステップと、
をさらに有する請求項７に記載の方法。
【請求項９】
前記ＥＬディスプレイは、２つ以上の色のサブ画素を有し、
（ｅ）前記ディスプレイの第１の列、及び同一色の隣接する第２の列を提供するステップと、
（ｆ）第１の駆動回路からの前記補正信号を使用して、前記第１の駆動回路と、１つ、又は２つ以上の同一色の隣接する第２の駆動回路とに印加される前記駆動信号を調整するステップと、
をさらに有する請求項１に記載の方法。
【請求項１０】
（ｇ）前記ディスプレイのサブ画素の前記色を、第１のグループ、及び重複しない第２のグループに分割するステップであって、それぞれのグループが、色の合計数よりも少ないが、少なくとも１つの色を有するステップと、
（ｈ）前記第１のグループの色の全てのサブ画素に、第１の駆動回路を提供するステップと、
（ｉ）前記第２のグループの色の前記サブ画素の少なくとも１つに、第１の駆動回路を提供するステップと、
（ｊ）前記第２のグループの色の前記サブ画素の少なくとも１つに、第２の駆動回路を提供するステップと、
をさらに有する請求項９に記載の方法。
【請求項１１】
（ｇ）ディスプレイ白色点を選択するステップと、
（ｈ）輝度しきい値を選択するステップと、
（ｉ）前記ディスプレイのサブ画素の前記色を、高輝度グループと、重複しない低輝度グループとに分割するステップであって、前記高輝度グループは、前記の選択された輝度しきい値以上のカラープレーンピーク輝度を備える色を有し、前記低輝度グループは、前記の選択された輝度しきい値より小さいカラープレーンピーク輝度を備える色を有するステップと、
（ｊ）前記高輝度グループの色の全てのサブ画素に、第１の駆動回路を提供するステップと、
（ｋ）前記第２のグループの色の前記サブ画素の少なくとも１つに、第１の駆動回路を提供するステップと、
（ｌ）前記第２のグループの色の前記サブ画素の少なくとも１つに、第２の駆動回路を提供するステップと、
をさらに有する請求項９に記載の方法。
【請求項１２】
ＥＬディスプレイのトランジスタ、及びＥＬデバイスの特性の変化を補償する方法であって、
（ａ）行、及び列に配列されるＥＬデバイスの２次元アレイを有し、画像を提供するために、駆動信号に応答する駆動回路によって、それぞれのＥＬデバイスが駆動されるＥＬディスプレイを提供するステップと、
（ｂ）ＥＬデバイスのための、３つのトランジスタを有する第１の駆動回路を提供し、かつＥＬデバイスのための、２つのトランジスタのみを有する第２の駆動回路を提供するステップであって、前記ディスプレイの第１の列は、少なくとも１つの第１の駆動回路を有し、隣接する第２の列は、少なくとも１つの第２の駆動回路を有するステップと、
（ｃ）前記ＥＬデバイス、又は第１の駆動回路の前記トランジスタ、若しくはその双方の少なくとも１つの特性に基づいて、補正信号を導き出すステップと、
（ｄ）前記補正信号を使用して、前記第１の駆動回路、及び１つ、又は２つ以上の隣接する第２の駆動回路に印加される前記駆動信号を調整するステップと、
（ｅ）時間とともに前記画像の配置を変更するステップと、
を有することを特徴とする方法。
【請求項１３】
前記隣接する第２の列は、第２の駆動回路のみを有する請求項１２に記載の方法。
【請求項１４】
所定のしきい値以下の最大データ信号を有するフレームの後に、前記画像の前記配置を変更するステップをさらに有する請求項１２に記載の方法。
【請求項１５】
前記所定のしきい値は、黒色を示すデータ信号である請求項１４に記載の方法。
【請求項１６】
前記ＥＬディスプレイは、２つ以上の色のサブ画素を有し、
（ｆ）それぞれの色のしきい値レベルを選択するステップと、
（ｇ）それぞれのカラープレーンにおいて、その色における前記の選択されたしきい値以下の最大データ信号を有するフレームの後に、前記画像の前記配置を変更するステップと、
をさらに有する請求項１２に記載の方法。
【請求項１７】
１時間に少なくとも１回は、前記画像の前記配置を変更するステップをさらに有する請求項１２に記載の方法。
【請求項１８】
高速動作場面の間に、前記画像の前記配置を変更するステップをさらに有する請求項１２に記載の方法。
【請求項１９】
前記画像配置の連続的な変更の間の時間は、相違する、請求項１２に記載の方法。
【請求項２０】
（ｆ）最初の第１の列を選択するステップと、
（ｇ）前記の選択された最初の第１の列に隣接する１つ、又は２つ以上の第２の列を選択するステップと、
（ｈ）前記の選択された第２の列の１つ、又は２つ以上に隣接する次の第１の列を選択するステップと、
（ｉ）前記の選択された最初の第１の列から、前記の選択された次の第１の列への距離よりも短い距離だけ、時間とともに前記画像の前記配置を変更するステップと、
をさらに有する請求項１２に記載の方法。
【請求項２１】
（ｆ）最初の第１の列を選択するステップと、
（ｇ）前記の選択された最初の第１の列に隣接する１つ、又は２つ以上の第２の列を選択するステップと、
（ｈ）前記の選択された第２の列の１つ、又は２つ以上に隣接する次の第１の列を選択するステップと、
（ｉ）前記の選択された最初の第１の列から、前記の選択された次の第１の列への距離よりも短い距離だけ、時間とともに前記画像の前記配置をより高い頻度で変更し、少なくとも、前記の選択された最初の第１の列から、前記の選択された次の第１の列への距離だけ、時間とともに前記画像の前記配置をより低い頻度で変更するステップと、
をさらに有する請求項１２に記載の方法。